(57)【要約】【課題】色温度に応じて除去する波長領域を変えることが可能で、色温度毎に必要最小限の波長領域を除去することができ、感度向上を図ることができる撮像装置および撮像方法を提供する。【解決手段】撮像装置１０は、光学系１１と、複数の色のカラーフィルタを有するカラーフィルタ群１３と、各カラーフィルタを透過した光に対応する色信号を出力する撮像素子１２と、光学系を通過した光線を、波長に応じて透過率を可変でき、カラーフィルタ群を通して撮像素子に入射する可変透過率素子１４と、を有し、可変透過率素子１４は、光学系を通過して撮像素子に入射する光線のうち、可視領域における長波長領域の光線を視感度特性と略一致するように透過率を減衰させ、かつ、撮像素子のカラーフィルタ各色の相対感度が略一致する赤外領域の光線を透過させ、長波長領域と赤外領域の間となる近赤外領域においては、色温度に応じて光線の波長に対する透過率を変化させる。【選択図】図１
2010232933.tif 000002
【特許請求の範囲】
【請求項１】
光学系と、
複数の色のカラーフィルタを有するカラーフィルタ群と、
前記各カラーフィルタを透過した光に対応する色信号を出力する撮像素子と、
前記光学系を通過した光線を、波長に応じて透過率を可変でき、前記カラーフィルタ群を通して前記撮像素子に入射する可変透過率素子と、を有し、
前記可変透過率素子は、
前記光学系を通過して前記撮像素子に入射する光線のうち、可視領域における長波長領域の光線を視感度特性と略一致するように透過率を減衰させ、かつ、
前記撮像素子の前記カラーフィルタ各色の相対感度が略一致する赤外領域の光線を透過させ、前記長波長領域と前記赤外領域の間となる近赤外領域においては、色温度に応じて光線の波長に対する透過率を変化させる
撮像装置。
【請求項２】
前記可変透過率素子の透過率は、前記可視領域における長波長領域で半値を持つ
請求項１に記載の撮像装置。
【請求項３】
前記可視領域における長波長領域は略６００ｎｍ〜７００ｎｍの波長領域を含む
請求項２に記載の撮像装置。
【請求項４】
前記可変透過率素子は、赤外領域で一定の透過率特性となる
請求項１から３のいずれか一に記載の撮像装置。
【請求項５】
前記赤外領域は略１０００ｎｍ以上の波長領域を含む
請求項４に記載の撮像装置。
【請求項６】
前記可変透過率素子は、
色温度情報に応じて、前記近赤外領域において、当該色温度が低いほどカット帯域を広く、当該色温度が高いほどカット帯域を狭くする
請求項１から５のいずれか一に記載の撮像装置。
【請求項７】
前記可変透過率素子は、
低照度時において、全波長領域における透過率を最大とする
請求項１から６のいずれか一に記載の撮像装置。
【請求項８】
光の波長に応じて透過率を可変できる可変透過率素子により、光学系を通過した光線を複数の色のカラーフィルタを有するカラーフィルタ群を介して、前記各カラーフィルタを透過した光に対応する色信号を出力する撮像素子に入射する際に、
前記可変透過率素子により、
前記光学系を通過して前記撮像素子に入射する光線のうち、可視領域における長波長領域の光線を視感度特性と略一致するように透過率を減衰させ、かつ、
前記撮像素子の前記カラーフィルタ各色の相対感度が略一致する赤外領域の光線を透過させ、前記長波長領域と前記赤外領域の間となる近赤外領域においては、色温度に応じて光線の波長に対する透過率を変化させる
撮像方法。
【発明の詳細な説明】
【技術分野】
【０００１】
本発明は、ＣＣＤ，ＣＭＯＳセンサなどの固体撮像素子を有する撮像装置および撮像方法に関するものである。
【背景技術】
【０００２】
一般に、画像入力機能を持った情報端末装置において、固体撮像素子として、たとえば、相補性金属酸化膜半導体（CMOS：Complementary Metal-oxide Semiconductor）センサや電荷結合素子（CCD：Charge Coupled Device）等が使用される。
【０００３】
ＣＭＯＳセンサなどの固体撮像素子を有する撮像装置において、色の三原色である赤（Ｒ）、緑（Ｇ）、青（Ｂ）の色信号を得る場合、Ｒ、Ｇ、Ｂに対応する光の帯域を持つ色分離（カラー分離）フィルタを透過させる。
【０００４】
上記色分離フィルタは染料、もしくは顔料を用いて目的の色を透過するように形成される。ただし、色分離フィルタは、目的の色の透過機能を有すると同時に赤外領域も一定の割合で透過率を有してしまう。
【０００５】
一方、人間の色に対する視感度特性は可視領域と呼ばれる３８０ｎｍから７８０ｎｍまでの感度特性を持っていると言われている。また、近赤外領域は６００ｎｍから７００ｎｍまでの波長を、赤外領域は８００ｎｍ以上の波長を有している。これらの光は、直接肉眼で見ることはできないが、デジタルカメラやビデオカメラでは感度を持ちモニタすることができる。
ただし、人間の色に対する視感度特性は、７００ｎｍ以上の長波長領域ではほとんど感度を有していない。
そのため、撮像装置には、人間の目にあわせるために、一般的に赤外および近赤外領域の光線をカットする赤外線カットフィルタ（ＩＲＣＦ：Infrared Ray Cut Filter）を備える必要がある。
【０００６】
このように、一般的な撮像装置は、固体撮像素子の光入射側に近赤外領域および赤外領域の光線を通さない赤外線カットフィルタを備えている。
しかし、夜間など薄暗い場所で撮影を行う場合、近赤外領域および赤外領域が固体撮像素子の感度の強い領域であるため赤外線カットフィルタを外す必要がある。
そのため、一般的な撮像装置では、赤外線カットフィルタを着脱する機構を設ける必要があり、小型化、コスト面で問題を抱えていた。
このような問題から市場では、赤外線除去フィルタを光路上から抜き差しする切り替え機構を必要とせずに、夜間等の暗時での高感度撮影を可能とし、人間の視感度特性に合致するように昼間等の明時での色再現性を向上させることができる撮像装置が要求されている。
上記のように赤外線除去フィルタを着脱する機構を有しない技術として、たとえば赤外線除去フィルタを設けない手法が知られている。
しかし、赤外線除去フィルタを設けないと、夜間等の暗時での高感度撮影は可能であるが、昼間等の明時では、十分な色再現を行うことができないという問題点がある。
【０００７】
そこで、上記のような要望、問題点に応える撮像装置として、特許文献１に開示されているような技術を適用した撮像装置が提案されている。
この撮像装置は、赤外線カットフィルタの代わりに、可視領域における長波長領域を減衰させ、かつ、赤外領域を通すバンドパスフィルタを設けることにより、赤外線カットフィルタを着脱する機構を設けることなく高感度で良好な色再現を得ている。
【先行技術文献】
【特許文献】
【０００８】
【特許文献１】特開２００６−９４１１２号公報
【発明の概要】
【発明が解決しようとする課題】
【０００９】
上述したように、特許文献１に記載された技術では、バンドパスフィルタで近赤外領域を広域でカットすることで、色再現性を向上させている。
ところが、色再現性に影響を与える波長領域は光源の色温度によって違いがあり、あらゆる色温度の光源に対応するには、先行技術の手法の場合、それらの領域を全て含むような除去領域幅を持ったバンドパスフィルタにする必要があった。
つまり、色温度によっては使用できる波長領域の光も除去することになり、感度向上の効果を減少させるという不利益がある。
【００１０】
本発明は、色温度に応じて除去する波長領域を変えることが可能で、色温度毎に必要最小限の波長領域を除去することができ、感度向上を図ることができる撮像装置および撮像方法を提供することにある。
【課題を解決するための手段】
【００１１】
本発明の第１の観点の撮像装置は、光学系と、複数の色のカラーフィルタを有するカラーフィルタ群と、前記各カラーフィルタを透過した光に対応する色信号を出力する撮像素子と、前記光学系を通過した光線を、波長に応じて透過率を可変でき、前記カラーフィルタ群を通して前記撮像素子に入射する可変透過率素子と、を有し、前記可変透過率素子は、前記光学系を通過して前記撮像素子に入射する光線のうち、可視領域における長波長領域の光線を視感度特性と略一致するように透過率を減衰させ、かつ、前記撮像素子の前記カラーフィルタ各色の相対感度が略一致する赤外領域の光線を透過させ、上記長波長領域と前記赤外領域の間となる近赤外領域においては、色温度に応じて光線の波長に対する透過率を変化させる。
【００１２】
好適には、前記可変透過率素子の透過率は、記可視領域における長波長領域で半値を持つ。
好適には、前記可視領域における長波長領域は略６００ｎｍ〜７００ｎｍの波長領域を含む。
【００１３】
好適には、前記可変透過率素子は、赤外領域で一定の透過率特性となる。
好適には、前記赤外領域とは略１０００ｎｍ以上の波長領域を含む。
【００１４】
好適には、前記可変透過率素子は、色温度情報応じて、前記近赤外領域において、当該色温度が低いほどカット帯域を広く、当該色温度が高いほどカット帯域を狭くする。
【００１５】
好適には、前記可変透過率素子は、低照度時において、全波長領域における透過率を最大とする。
【００１６】
本発明の第２の観点の撮像方法は、光の波長に応じて透過率を可変できる可変透過率素子により、光学系を通過した光線を複数の色のカラーフィルタを有するカラーフィルタ群を介して、前記各カラーフィルタを透過した光に対応する色信号を出力する撮像素子に入射する際に、前記可変透過率素子により、前記光学系を通過して前記撮像素子に入射する光線のうち、可視領域における長波長領域の光線を視感度特性と略一致するように透過率を減衰させ、かつ、前記撮像素子の前記カラーフィルタ各色の相対感度が略一致する赤外領域の光線を透過させ、上記長波長領域と前記赤外領域の間となる近赤外領域においては、色温度に応じて光線の波長に対する透過率を変化させる。
【発明の効果】
【００１７】
本発明によれば、色温度に応じて除去する波長領域を変えることが可能で、色温度毎に必要最小限の波長領域を除去することができ、さらなる感度向上を図ることができる。
【図面の簡単な説明】
【００１８】
【図１】本発明の実施形態に係る撮像装置の構成例を示すブロック図である。
【図２】本実施形態に係る単位画素の説明図である。
【図３】本実施形態の４色のカラーフィルタにより形成される単位フィルタの第１配置例を示す図である。
【図４】本実施形態の４色のカラーフィルタにより形成される単位フィルタの第２配置例を示す図である。
【図５】は光源の波長感度特性を持つ撮像素子（センサ）の感度特性を示す図である。
【図６】色温度（６５００Ｋ）を加味した撮像素子（センサ）の感度特性を示す図である。
【図７】色温度（２８００Ｋ）を加味した撮像素子（センサ）の感度特性を示す図である。
【図８】色温度（２３００Ｋ）を加味した撮像素子（センサ）の感度特性を示す図である。
【図９】各色における感度比率を示す図である。
【図１０】光源毎のセンサの感度積分値特性を示す図である。
【図１１】例として図３の補色(シアン、マゼンダ、イエロー＋グリーン)のカラーフィルタを装着した固体撮像素子の分光感度特性を示す図である。
【図１２】例として図６の原色（レッド、ブルー、グリーン）のカラーフィルタを装着した固体撮像素子の分光感度特性を示す図である。
【図１３】原色のカラーフィルタを装着した個体撮像素子にＩＲＣＦ（赤外線カットフィルタ）を加えた分光透過率特性を示す図である。
【図１４】例としてＡ光源、Ｄ６５光源、Ｃ光源の分光分布を示す図である。
【図１５】Ｄ６５（太陽）光源に６５０ｎｍを半値としたＩＲＣＦ（赤外カットフィルタ）、撮像素子（センサ）の感度特性を合わせて示す図である。
【図１６】色温度２３００Ｋの光源時の波長カット帯域を示す図である。
【図１７】色温度２８００Ｋの光源時の波長カット帯域を示す図である。
【図１８】色温度６５００Ｋの光源時の波長カット帯域を示す図である。
【発明を実施するための形態】
【００１９】
以下、本発明の実施形態を図面に関連付けて説明する。
【００２０】
図１は、本発明の実施形態に係る撮像装置の構成例を示すブロック図である。
【００２１】
本撮像装置１０は、図１に示すように、光学系１１、撮像素子１２、カラーフィルタ群１３、可変透過率素子１４、色温度情報供給部１５、透過率制御部１６、および画像処理部１７を有する。
【００２２】
本実施形態の撮像装置１０は、赤外線除去フィルタを光路上から抜き差しする切り替え機構を必要とせずに、昼夜（明時および暗時）での高感度撮影を可能とし、人間の視感度特性に合致するように、昼間等の明時での色再現性を維持するように構成される。
【００２３】
本撮像装置１０は、可視領域の内、視感度特性が弱くなり始める長波長領域から近赤外領域（６５０ｎｍ〜１０００ｎｍ程度）の光を選択的に除去させる機能を有する。
撮像装置１０は、選択的に除去するために、たとえば液晶素子による可変透過率素子１４を用いる。
なお、可変透過率素子１４は、色温度を入力情報とする透過率制御部１６により透過率が制御される。
このように透過率が制御される可変透過率素子１４は、色温度が低い程、近赤外波長領域において幅広い波長帯域を除去し、色温度が高く、光源自体に近赤外波長領域の成分をあまり含まない場合には、長波長領域における除去は少なくする機能を有する。
【００２４】
以下、本実施形態の撮像装置１０の具体的な構成および機能について説明する。
【００２５】
光学系１１は、被写体ＯＢＪの像を、可変透過率素子１４、カラーフィルタ群１３を通して撮像素子１２の撮像面に結像する。
【００２６】
撮像素子１２は、ＣＣＤやＣＭＯＳセンサにより形成され、複数の画素がマトリクス状に配列されている。
撮像素子１２は、カラーフィルタ群１３の各カラーフィルタを透過した光に対応する色信号を生成して、たとえば生成したアナログの色信号をデジタルの色信号に変換して画像処理部１７に出力する。
【００２７】
カラーフィルタ群１３は、複数の色のカラー（色）フィルタを含み、撮像素子１２の撮像面の光入射側に配置されている。
カラーフィルタ群１３は、可視領域において、少なくとも３色以上のカラーフィルタを有する。
本実施形態では、カラーフィルタ群１３が、４色のカラーフィルタを有する場合を例に説明する。
そして、本実施形態では、撮像素子１２の画素配列として、図２に示すような、２×２のマトリクス配列された４つの画素ＰＸＬを、一組の単位画素ＵＰＸＬとした場合を例に説明する。
以下に、４色のカラーフィルタにより形成される単位フィルタＵＦＬＴの構成例を示す。
【００２８】
図３は、本実施形態の４色のカラーフィルタにより形成される単位フィルタの第１配置例を示す図である。
【００２９】
図３の単位フィルタＵＦＬＴ１は、図２の単位画素ＵＰＸＬに対応して２×２のマトリクス配列された４色のカラーフィルタにより形成される。
具体的には、単位フィルタＵＦＬＴ１は、補色となるシアン（Ｃｙａｎ：Ｃｙ）フィルタＣＦＬＴ、マゼンダ（Ｍａｇｅｎｄａ：Ｍｇ）フィルタＭＦＬＴ、イエロー（Ｙｅｌｌｏｗ：Ｙｅ）フィルタＹＦＬＴを有する。
そして、単位フィルタＵＦＬＴ１は、色の三原色となるレッド（赤、Ｒ）、グリーン（緑、Ｇ）、ブルー（青、Ｂ）うちの１色で形成される原色フィルタＰＣＦＬＴにより形成される。
【００３０】
図４は、本実施形態の４色のカラーフィルタにより形成される単位フィルタの第２配置例を示す図である。
【００３１】
図４の単位フィルタＵＦＬＴ２は、図２の単位画素ＵＰＸＬに対応して２×２のマトリクス配列された４色のカラーフィルタにより形成される。
具体的には、単位フィルタＵＦＬＴ２は、色の三原色であるレッド（赤、Ｒ）フィルタＲＦＬＴ、グリーン（緑、Ｇ）フィルタＧＦＬＴ、ブルー（青、Ｂ）フィルタＢＦＬＴを有する。
そして、単位フィルタＵＦＬＴ２の残りの１色は、補色となるシアン（Ｃｙ）、マゼンダ（Ｍｇ）、イエロー（Ｙｅ）のうちの１色で形成される補色フィルタＣＣＦＬＴにより形成される。
【００３２】
４色のカラーフィルタにより形成される単位フィルタＵＦＬＴ１，２は、たとえば原色フィルタＰＣＦＬＴまたは補色フィルタＣＣＦＬＴの１色（第１の色）が残りの３色から少なくとも２色を用いることで表現できる色（第２の色）であるように形成される。
【００３３】
可変透過率素子１４は、透過率制御部１６の制御の下、光の波長に応じて透過率を可変でき、光学系１１を通過した光線は制御された透過率をもって透過する。
可変透過率素子１４を透過した光線は、カラーフィルタ群１３を通して撮像素子１２に入射する。
可変透過率素子１４は、透過率制御部１６の制御の下、光学系１１を通過して撮像素子１２に入射する光線のうち、可視領域における長波長領域の光線を視感度特性と略一致するように透過率を減衰させる。
かつ、可変透過率素子１４は、撮像素子１２の光入射側に配置されたカラーフィルタ各色の相対感度が略一致する赤外領域の光線を透過させ、長波長領域と赤外領域の間となる近赤外領域においては、色温度に応じて光線の波長に対する透過率を変化させる。
【００３４】
可変透過率素子１４の透過率は、可視領域における長波長領域で半値（５０％の値）を持つ。ここで、可視領域における長波長領域は略６００ｎｍ〜７００ｎｍの波長領域を含む。
可変透過率素子１４は、赤外領域で一定の透過率特性となる。ここで、赤外領域は略８００ｎｍ以上の波長領域を含む。
可変透過率素子１４は、色温度を入力情報とする透過率制御部１６により透過率が制御され、近赤外領域において、色温度が低いほどカット帯域を広く、色温度が高いほどカット帯域を狭くする。
可変透過率素子１４は、低照度時において、全波長領域における透過率を最大とする。
ここで低照度時とは、照度が所定の閾値より低い時、具体的には夜間等の暗時を指す。
【００３５】
色温度情報供給部１５は、たとえば太陽光源（６５００Ｋ）、Ａ光源（２８００Ｋ）、２３００Ｋ等の色温度情報を、センサである撮像素子１２の受光時の感度特性等に応じて透過率制御部１６に供給する。
【００３６】
透過率制御部１６は、色温度情報供給部１５により供給される色温度情報に応じて可変透過率素子１４の透過率を制御する。
透過率制御部１６は、光学系１１を通過して撮像素子１２に入射する光線のうち、可視領域における長波長領域の光線を視感度特性と略一致するように透過率を減衰させるように可変透過率素子１４を制御する。
かつ、透過率制御部１６は、撮像素子１２の光入射側に配置されたカラーフィルタ各色の相対感度が略一致する赤外領域の光線を透過させ、長波長領域と赤外領域の間となる近赤外領域においては、色温度に応じて光線の波長に対する透過率を変化させるように可変透過率素子１４を制御する。
透過率制御部１６は、近赤外領域において、色温度が低いほどカット帯域を広く、色温度が高いほどカット帯域を狭くするように可変透過率素子１４を制御する。
また、透過率制御部１６は、低照度時において、全波長領域における透過率が最大となるように可変透過率素子１４を制御する。
【００３７】
画像処理部１７は、撮像素子１２からの画像データを受けて、カラー補間、ホワイトバランス、ＹＣｂＣｒ変換処理、圧縮、ファイリング等の処理を行い、たとえば図示しないメモリへの格納や表示部への画像表示等を行う。
【００３８】
本実施形態の撮像装置１０は、色温度に応じて、赤外領域を透過する幅を可変透過率素子１４で可変とすることで、色再現性の向上を図っている。
ここで、色温度に応じて、赤外領域を透過する幅を可変する理由について、図５〜図１０に関連付けて説明する。
【００３９】
図５は、光源の波長感度特性を持つ撮像素子（センサ）の感度特性を示す図である。
図６は、色温度（６５００Ｋ）を加味した撮像素子（センサ）の感度特性を示す図である。
図７は、色温度（２８００Ｋ）を加味した撮像素子（センサ）の感度特性を示す図である。
図８は、色温度（２３００Ｋ）を加味した撮像素子（センサ）の感度特性を示す図である。
【００４０】
ここで、例として、図５に示すような波長感度特性を持つ撮像素子（センサ）と色温度（６５００Ｋ）について考察する。
最終的にセンサに受光するときの感度特性は、図５の光源特性とセンサ感度特性の掛け算となる。
その結果を、図６〜図８に示す。
色温度は、太陽光源（６５００Ｋ）、Ａ光源（２８００Ｋ）、２３００Ｋの３つの場合について示している。
ここで、一般的に、赤外カットフィルタが６５０ｎｍ近傍で半値を持ち、これにより長波長領域をカットすることから６５０ｎｍ以下の波長領域を可視領域、６５０ｎｍ以上を赤外領域と定義する。
理想は、赤外カットフィルタを用いずに、全波長領域の光を受光することが好ましい。
しかし、赤外領域の色は人間の視感度領域から外れていて、受光すればするほど、普段人間が見ている（認識している）色とは異なった色が出力される。
そこで、現在は、感度を犠牲にして、赤外カットフィルタを用いて色再現性を優先している。
本実施形態においては、感度を上げながら、色再現性も考慮することを考慮としている。
よって、本実施形態においては、色再現性に悪影響を及ぼさない、ＲＧＢ各色の相対感度比がそろっている略１０００ｎｍ以上の波長領域については透過させることを特徴としている。
【００４１】
図９は、各色における感度比率を示す図である。
図１０は、光源毎のセンサの感度積分値特性を示す図である。
【００４２】
ここでは、通常であれば、カットされる赤外領域の積分値を波長１００ｎｍステップで拡張したときの値を示す。
図から、透過させる波長領域を広げれば広げるほど、有効成分「可視領域」と色再現に悪影響を及ぼす成分が増すことがわかる。
【００４３】
前述したとおり、６５０ｎｍ以上の領域を全てカットした場合が、純粋な可視成分となるので色再現性がよい。
ただし、後段の画像処理で色再現処理を行えば、赤外まで受光し、感度（積分値）を上げることも可能となる。
ただし、色温度に応じて、広げる幅を変化させることが重要となる。
たとえば、図９に示すように、太陽光源下では、９００ｎｍまで光を透過させても、赤外／可視が１．１７程度であることから、補正は可能である。
しかし、色温度２３００Ｋ下で、同様に９００ｎｍまで光を透過させると、赤外／可視が４．３１となり、補正がかなり過剰となり、過剰な補正はノイズを生み現実的ではなくなる。
そこで、本実施形態では、色温度に応じて、赤外を透過する幅を可変とすることを特徴としている。
【００４４】
次に、本実施形態の撮像装置１０における色再現処理についてフィルタ特性や本実施形態に係る特徴的な感度特性や波長カット帯域等を含め、図１１〜図１８に関連付けてさらに詳述する。
【００４５】
図１１は、例として図３の補色(シアン、マゼンダ、イエロー＋グリーン)のカラーフィルタを装着した固体撮像素子の分光感度特性を示す図である。
図１２は、例として図４の原色（レッド、ブルー、グリーン）のカラーフィルタを装着した固体撮像素子の分光感度特性を示す図である。
【００４６】
図１１および図１２において、横軸が波長を、縦軸が量子効率（Quantum Efficiency）をそれぞれ示す。
図１１中、Ａで示す曲線がシアンフィルタＣＦＬＴの分光感度特性を、Ｂで示す曲線がグリーンフィルタＧＦＬＴの分光感度特性を、Ｃで示す曲線がイエローフィルタＹＦＬＴの分光感度特性を、Ｄで示す曲線がマゼンダフィルタＭＦＬＴの分光感度特性をそれぞれ示している。
図１２中、Ａで示す曲線がレッドフィルタＲＦＬＴの分光感度特性を、Ｂで示す曲線がグリーンフィルタＧＦＬＴの分光感度特性を、Ｃで示す曲線がブルーフィルタＢＦＬＴの分光感度特性をそれぞれ示している。
【００４７】
図１１および図１２に示すように、補色のカラーフィルタを用いた方が原色のカラーフィルタを用いる場合より、量子効率は良好である。
【００４８】
図１３は、原色のカラーフィルタを装着した個体撮像素子にＩＲＣＦ（赤外線カットフィルタ）を加えた分光透過率特性を示す図である。
【００４９】
図１３において、横軸が波長を、縦軸が量子効率（Quantum Efficiency）をそれぞれ示す。
図１３中、Ａで示す曲線がレッドフィルタＲＦＬＴの分光透過率特性を、Ｂで示す曲線がグリーンフィルタＧＦＬＴの分光透過率特性を、Ｃで示す曲線がブルーフィルタＢＦＬＴの分光透過率特性を、Ｄで示す曲線がＩＲＣＦの分光透過率特性をそれぞれ示している。
赤外線カットフィルタＩＲＣＦは、略７００ｎｍ以上の波長領域で遮断効果を十分に発現する。
【００５０】
図１４は、例としてＡ光源、Ｄ６５光源、Ｃ光源の分光感度特性を示す図である。
Ａ光源は色温度２８５０Ｋ前後で、家庭用の電球とほぼ同等の光であり、Ｃ光源は色温度６７４０Ｋ前後で昼光に近い光である。また、Ｄ６５光源は色温度６５００Ｋ前後で、Ｃ光源よりもさらに自然光に近い光である。
【００５１】
図１４において、横軸が波長を、縦軸が感度をそれぞれ示している。
図１４中、Ｘで示す曲線がＡ光源の分光感度特性を、Ｙで示す曲線がＤ６５光源の分光分布特性を、Ｚで示す曲線がＣ光源の分光感度特性をそれぞれ示している。
【００５２】
図１５は、Ｄ６５（太陽）光源に６５０ｎｍを半値としたＩＲＣＦ（赤外カットフィルタ）、撮像素子（センサ）の感度特性を合わせて示す図である。
【００５３】
図１５において、横軸が波長を、縦軸が量子効率（Quantum Efficiency）をそれぞれ示す。
図１５中、Ａで示す曲線がレッドフィルタＲＦＬＴの分光感度特性を、Ｂで示す曲線がグリーンフィルタＧＦＬＴの分光感度特性を、Ｃで示す曲線がブルーフィルタＢＦＬＴの分光感度特性を、Ｄで示す曲線がＩＲＣＦを用いた場合の分光感度特性をそれぞれ示している。
【００５４】
前述したように、可視領域における長波長領域は、略６００ｎｍ〜７００ｎｍを指し、撮像素子１２のカラーフィルタの各色における相対感度が略揃う赤外領域は、略８００ｎｍ以上の領域を指す。
両者の間の波長領域が、本実施形態に係る可変透過率素子１４によって透過率が変化する帯域の対象となる。
【００５５】
図１６は、色温度２３００Ｋの光源時の波長カット帯域を示す図である。
【００５６】
図１６において、横軸が波長を、縦軸が量子効率（Quantum Efficiency）をそれぞれ示す。
図１６中、Ａで示す曲線がレッドフィルタＲＦＬＴの分光感度特性を、Ｂで示す曲線がグリーンフィルタＧＦＬＴの分光感度特性を、Ｃで示す曲線がブルーフィルタＢＦＬＴの分光感度特性を、Ｄで示す曲線が可変透過率素子（ＶＴＥ）を用いた場合の分光感度特性をそれぞれ示している。
【００５７】
図１６に示すように、可変透過率素子１４により６５０ｎｍ〜１０００ｎｍまでの波長領域をカットしている。
このカット領域は、センサの分光感度特性と光源の分光特性と可変透過率素子（ＶＴＥ）の特性によって変化する。好適にはＶＴＥにより、各カラーフィルタを透過した量子効率の合計の半分以上が、可視領域であることが好ましい。
【００５８】
図１７は、色温度２８００Ｋの光源時の波長カット帯域を示す図である。
【００５９】
図１７において、横軸が波長を、縦軸が量子効率（Quantum Efficiency）をそれぞれ示す。
図１７中、Ａで示す曲線がレッドフィルタＲＦＬＴの分光感度特性を、Ｂで示す曲線がグリーンフィルタＧＦＬＴの分光感度特性を、Ｃで示す曲線がブルーフィルタＢＦＬＴの分光感度特性を、Ｄで示す曲線がＶＴＥを用いた場合の分光感度特性をそれぞれ示している。
【００６０】
図１７に示すように、可変透過率素子１４により６５０ｎｍ〜９００ｎｍまでの波長領域をカットしている。
このカット領域は、センサの分光感度特性と光源の分光特性とＶＴＥ（可変透過率素子）の特性によって変化する。好適にはＩＲＣＦにより、各カラーフィルタを透過した量子効率の合計の半分以上が、可視領域であることが好ましい。
【００６１】
図１７において、横軸が波長を、縦軸が量子効率（Quantum Efficiency）をそれぞれ示す。
図１７中、Ａで示す曲線がレッドフィルタＲＦＬＴの分光感度特性を、Ｂで示す曲線がグリーンフィルタＧＦＬＴの分光感度特性を、Ｃで示す曲線がブルーフィルタＢＦＬＴの分光感度特性を、Ｄで示す曲線がＶＴＥを用いた場合の分光感度特性をそれぞれ示している。
【００６２】
図１８は、色温度６５００Ｋの光源時の波長カット帯域を示す図である。
【００６３】
図１８において、横軸が波長を、縦軸が量子効率（Quantum Efficiency）をそれぞれ示す。
図１８中、Ａで示す曲線がレッドフィルタＲＦＬＴの分光感度特性を、Ｂで示す曲線がグリーンフィルタＧＦＬＴの分光感度特性を、Ｃで示す曲線がブルーフィルタＢＦＬＴの分光感度特性を、Ｄで示す曲線がＶＴＥを用いた場合の分光感度特性をそれぞれ示している。
【００６４】
図１８に示すように、可変透過率素子により６５０ｎｍ〜８００ｎｍまでの波長領域をカットしている。
このカット領域は、センサの分光感度特性と光源の分光特性とＶＴＥ（可変透過率素子）の特性によって変化する。好適にはＶＴＥにより、各カラーフィルタを透過した量子効率の合計の半分以上が、可視領域であることが好ましい。
【００６５】
以上説明したように、本実施形態によれば、撮像装置１０は、光学系１１と、複数の色のカラーフィルタを有するカラーフィルタ群１３と、各カラーフィルタを透過した光に対応する色信号を出力する撮像素子１２と、光学系を通過した光線を、波長に応じて透過率を可変でき、カラーフィルタ群を通して撮像素子に入射する可変透過率素子１４と、を有する。可変透過率素子１４は、光学系を通過して撮像素子に入射する光線のうち、可視領域における長波長領域の光線を視感度特性と略一致するように透過率を減衰させ、かつ、撮像素子のカラーフィルタ各色の相対感度が略一致する赤外領域の光線を透過させ、長波長領域と赤外領域の間となる近赤外領域においては、色温度に応じて光線の波長に対する透過率を変化させる。
したがって、本実施形態によれば、以下の効果を得ることができる。
【００６６】
赤外線カットフィルタを光路上から移動させる駆動部を必要とせずに、人間の視感度特性に合致する撮像装置を実現することが可能である。
赤外線カットフィルタを設けることなく、高感度で良好な色再現が可能となる。
すなわち、本実施形態によれば、赤外線カットフィルタを光路上から抜き差しする切り替え機構を必要とせずに、夜間等の暗時での高感度撮影を可能とし、ひいては昼間等の明時での色再現性を向上することができる。
【００６７】
なお、以上詳細に説明した方法は、上記手順に応じたプログラムとして形成し、ＣＰＵ等のコンピュータで実行するように構成することも可能である。
また、このようなプログラムは、半導体メモリ、磁気ディスク、光ディスク、フロッピー（登録商標）ディスク等の記録媒体、この記録媒体をセットしたコンピュータによりアクセスし上記プログラムを実行するように構成可能である。
【符号の説明】
【００６８】
１０・・・撮像装置、１１・・・レンズ系（光学系）、１２・・・撮像素子、１３・・・カラーフィルタ群、１４・・・可変透過率素子、１５・・・色温度情報供給部、１６・・・透過率制御部、１７・・・画像処理部。
【図１】
2010232933.tif 000003
【図２】
2010232933.tif 000004
【図３】
2010232933.tif 000005
【図４】
2010232933.tif 000006
【図５】
2010232933.tif 000007
【図６】
2010232933.tif 000008
【図７】
2010232933.tif 000009
【図８】
2010232933.tif 000010
【図９】
2010232933.tif 000011
【図１０】
2010232933.tif 000012
【図１１】
2010232933.tif 000013
【図１２】
2010232933.tif 000014
【図１３】
2010232933.tif 000015
【図１４】
2010232933.tif 000016
【図１５】
2010232933.tif 000017
【図１６】
2010232933.tif 000018
【図１７】
2010232933.tif 000019
【図１８】
2010232933.tif 000020